(57)【要約】  ハンドル（１００）は、係合ピン（１１０）を有する本体ベース（１０２）、回動軸（１１８）を有する扉ベース（１０４）、ドアロック位置とドアロック解除位置との間で変位する取手部（１０６）、ドアロック解除位置を決める回動ストッパ（１３６）を備える。取手部（１０６）は係合溝（１３０）を有する。係合溝（１３０）は、ドアロック解除位置で水平方向を向く開放端（１３２）を有する。ドアロック位置では係合溝（１３０）と係合ピン（１１０）とが係合し扉（４）の開閉が規制され、ドアロック解除位置では係合溝（１３０）と係合ピン（１１０）との係合が解除され扉（４）の開閉が許容される。回動ストッパ（１３６）は、取手部（１０６）がドアロック解除位置にあるとき、鉛直方向で係合ピン（１１０）が開放端（１３２）の延在範囲内に位置するよう取手部（１０６）を位置決めする。係合溝（１３０）は、取手部（１０６）の変位時に係合ピン（１１０）を押圧する押出面（１３８）を有する。
2017068984.tif 000002
【特許請求の範囲】
【請求項１】
前面に開口を有するフリーザ本体と、水平方向における一端側が前記フリーザ本体に回動可能に連結され、鉛直方向の軸周りに回動して前記開口を開閉可能に塞ぐ扉とを備えるフリーザ用のハンドルであって、  前記フリーザ本体と前記扉とが連結されていない側の前記フリーザ本体の側面に固定され、水平方向に延伸する係合ピンを有する本体ベースと、  前記フリーザ本体と前記扉とが連結されていない側の前記扉の側面に固定され、水平方向に延伸する回動軸を有する扉ベースと、  回動軸周りに回動して、前記扉の開閉を規制するドアロック位置と前記扉の開閉を許容するドアロック解除位置との間で変位可能である取手部と、  前記取手部のドアロック解除位置を決める回動ストッパと、を備え、  前記取手部は、前記取手部の回動により前記係合ピンが内部を移動する係合溝を有し、前記係合溝は、前記取手部がドアロック解除位置にあるとき水平方向を向くとともに前記扉の開閉により前記係合ピンが退出又は進入する開放端を有し、前記取手部がドアロック解除位置からドアロック位置に変位すると前記係合溝と前記係合ピンとが係合して前記扉の開閉が規制され、前記取手部がドアロック位置からドアロック解除位置に変位すると前記係合溝と前記係合ピンとの係合が解除されて前記扉の開閉が許容され、  前記回動ストッパは、前記取手部がドアロック解除位置にあるとき、鉛直方向で前記係合ピンが前記開放端の延在範囲内に位置するように前記取手部を位置決めし、  前記係合溝は、前記取手部がドアロック位置からドアロック解除位置に変位する際に、前記取手部がドアロック位置にあるときの前記係合ピンと前記回動軸との水平方向距離よりも、前記取手部がドアロック解除位置にあるときの前記水平方向距離の方が大きくなるように前記係合ピンを押圧する押出面を有することを特徴とするハンドル。
【請求項２】
前記押出面により前記係合ピンが押圧されて、前記本体ベース及び前記扉ベースが固定される側面の側において前記フリーザ本体と前記扉とが非接触となる請求項１に記載のハンドル。
【請求項３】
前記押出面は、前記係合ピンと前記回動軸との間に位置し、前記係合ピン側に凸の曲面形状を有する請求項１又は２に記載のハンドル。
【請求項４】
前記取手部及び前記扉ベースは、一方が規制部材を有し、他方が規制部材受部を有し、  前記規制部材は、前記一方の部材に対して変位可能に設けられ、前記取手部がドアロック解除位置にある状態で前記規制部材受部に当接して前記取手部がドアロック位置に変位することを規制する第１姿勢と、前記規制部材受部から離間してドアロック解除位置にある前記取手部がドアロック位置に変位することを許容する第２姿勢との間で切り替え可能である請求項１乃至３のいずれか１項に記載のハンドル。
【請求項５】
前記規制部材は、前記係合ピンが前記係合溝から退出した状態で前記第１姿勢であり、前記係合ピンが前記係合溝に進入すると前記第２姿勢に切り替わる請求項４に記載のハンドル。
【請求項６】
前記第１姿勢をとるように前記規制部材を付勢する付勢部材をさらに備え、  前記本体ベースは、前記取手部側に突出する突起部を有し、  前記扉の前記フリーザ本体への接近にともなって前記突起部が前記付勢部材の付勢方向とは逆の方向に前記規制部材を押圧し、前記規制部材が前記第２姿勢に切り替わる請求項４又は５に記載のハンドル。
【請求項７】
前記扉ベースに対して前記取手部を固定するロック機構を有する請求項１乃至６のいずれか１項に記載のハンドル。
【請求項８】
前記ロック機構は、  前記取手部とともに回動して前記取手部がドアロック解除位置にあるとき前記回動ストッパに当接し、前記取手部がドアロック位置にあるとき前記回動ストッパから離間する凸部と、  前記取手部がドアロック位置にある状態で前記凸部と前記回動ストッパとの間に進入して前記取手部のドアロック位置からドアロック解除位置への変位を規制するロックピンと、を有する請求項７に記載のハンドル。
【請求項９】
前記扉ベースは、前記扉ベースに対して前記取手部を固定するための錠前が取り付けられる第１施錠孔を有し、  前記取手部は、前記第１施錠孔とともに前記錠前が取り付けられる第２施錠孔を有し、  前記第１施錠孔と前記第２施錠孔とは、前記扉ベース及び前記取手部の並ぶ方向で、前記取手部がドアロック位置にあるときに重なり前記取手部がドアロック解除位置にあるときにずれるように互いの位置関係が定められている請求項１乃至８のいずれか１項に記載のハンドル。
【請求項１０】
前記扉ベースは、前記扉の側面に当接する平板部と、前記平板部に設けられ前記扉ベースを前記扉に固定するための締結部材が挿通される第１挿通孔とを有し、  前記取手部は、前記締結部材が挿通される第２挿通孔を有し、  前記第１挿通孔と前記第２挿通孔とは、前記扉、前記扉ベース及び前記取手部の並ぶ方向で、前記取手部がドアロック解除位置にあるときに重なり前記取手部がドアロック位置にあるときにずれるように互いの位置関係が定められている請求項１乃至９のいずれか１項に記載のハンドル。
【請求項１１】
開口を有するフリーザ本体と、  前記開口を開閉可能に塞ぐ扉と、  請求項１乃至１０のいずれか１項に記載のハンドルと、を備えることを特徴とするフリーザ。
【発明の詳細な説明】
【技術分野】
【０００１】  本発明はハンドルと、このハンドルを備えるフリーザとに関する。
【背景技術】
【０００２】  従来、貯蔵室内が−８０℃以下の超低温に冷却されるフリーザの扉を開閉するためのハンドルが知られている（例えば、特許文献１参照）。このハンドルは、フリーザ本体側に設けられたラッチ受けと扉側に設けられたラッチ部とが係合することで、扉の閉状態を維持する構造を有していた。また、取手部の回動によりラッチ受けとラッチ部との係合とその解除とが切り替えられていた。
【先行技術文献】
【特許文献】
【０００３】
【特許文献１】特開２００６−２７５４４７号公報
【発明の概要】
【発明が解決しようとする課題】
【０００４】  本発明者らは、上述したフリーザ用のハンドルについて鋭意研究を重ねた結果、従来のハンドルにはフリーザの使い勝手を向上させる上で改善の余地があることを認識するに至った。【０００５】  本願はこうした状況に鑑みてなされたものであり、その目的は、フリーザの使い勝手を向上させるための技術を提供することにある。
【課題を解決するための手段】
【０００６】  上記課題を解決するために、本願のある態様はハンドルである。当該ハンドルは、前面に開口を有するフリーザ本体と、水平方向における一端側がフリーザ本体に回動可能に連結され、鉛直方向の軸周りに回動して開口を開閉可能に塞ぐ扉とを備えるフリーザ用のハンドルであって、フリーザ本体と扉とが連結されていない側のフリーザ本体の側面に固定され、水平方向に延伸する係合ピンを有する本体ベースと、フリーザ本体と扉とが連結されていない側の扉の側面に固定され、水平方向に延伸する回動軸を有する扉ベースと、回動軸周りに回動して、扉の開閉を規制するドアロック位置と扉の開閉を許容するドアロック解除位置との間で変位可能である取手部と、取手部のドアロック解除位置を決める回動ストッパと、を備える。取手部は、取手部の回動により係合ピンが内部を移動する係合溝を有し、係合溝は、取手部がドアロック解除位置にあるとき水平方向を向くとともに扉の開閉により係合ピンが退出又は進入する開放端を有し、取手部がドアロック解除位置からドアロック位置に変位すると係合溝と係合ピンとが係合して扉の開閉が規制され、取手部がドアロック位置からドアロック解除位置に変位すると係合溝と係合ピンとの係合が解除されて扉の開閉が許容される。回動ストッパは、取手部がドアロック解除位置にあるとき、鉛直方向で係合ピンが開放端の延在範囲内に位置するように取手部を位置決めする。係合溝は、取手部がドアロック位置からドアロック解除位置に変位する際に、取手部がドアロック位置にあるときの係合ピンと回動軸との水平方向距離よりも、取手部がドアロック解除位置にあるときの水平方向距離の方が大きくなるように係合ピンを押圧する押出面を有する。【０００７】  本願の他の態様はフリーザである。当該フリーザは、開口を有するフリーザ本体と、開口を開閉可能に塞ぐ扉と、上記態様のハンドルとを備える。
【発明の効果】
【０００８】  本発明によれば、フリーザの使い勝手を向上させることができる。
【図面の簡単な説明】
【０００９】
【図１】実施の形態に係るフリーザの斜視図である。
【図２】実施の形態に係るハンドルの正面図である。
【図３】ハンドルの背面下側から見た斜視図である。
【図４】ハンドルの内部構造を示す図である。
【図５】ハンドルの分解斜視図である。
【図６】図６（Ａ）及び図６（Ｂ）は、取手部の各回動位置におけるハンドルの内部構造を示す図である。
【図７】図７（Ａ）及び図７（Ｂ）は、取手部の各回動位置におけるハンドルの内部構造を示す図である。
【図８】図８（Ａ）及び図８（Ｂ）は、第３セキュリティ機構を説明するための図である。
【発明を実施するための形態】
【００１０】  以下、本発明を好適な実施の形態をもとに図面を参照しながら説明する。各図面に示される同一または同等の構成要素、部材、処理には、同一の符号を付するものとし、適宜重複した説明は省略する。また、実施の形態は、発明を限定するものではなく例示であって、実施の形態に記述されるすべての特徴やその組み合わせは、必ずしも発明の本質的なものであるとは限らない。また、各図面において実施の形態を説明する上で重要ではない部材の一部は省略する。
【００１１】  図１は、実施の形態に係るフリーザの斜視図である。本実施の形態に係るフリーザ１は、貯蔵室内を−８０℃程度の超低温まで冷却することができる冷凍機である。フリーザ１は、フリーザ本体２と、扉４と、ハンドル１００とを備える。フリーザ本体２は、縦型の断熱箱体であって前面に開口２ａを有するとともに、内部に貯蔵室２ｂを有する。貯蔵室２ｂは、開口２ａを介して外部に連通する。扉４は、水平方向（図１における矢印Ｙの方向）における一端側がフリーザ本体２に回動可能に連結される。例えば扉４は、従来公知のヒンジ機構６を介してフリーザ本体２に回動可能に連結される。扉４は、鉛直方向の軸Ａｘ１周りに回動して開口２ａを開閉可能に塞ぐ。
【００１２】  ハンドル１００は、フリーザ本体２と扉４とが連結されていない側のそれぞれの側面２ｃ及び側面４ｃ、すなわちヒンジ機構６が設けられる側とは反対側のフリーザ１の側面に設けられる。本実施の形態では、フリーザ１の正面から見て右側面にヒンジ機構６が設けられ、左側面にハンドル１００が設けられている。ヒンジ機構６とハンドル１００の取り付け位置は逆であってもよい。ハンドル１００は、扉４を開閉する際に操作される。以下、ハンドル１００の構造について詳細に説明する。
【００１３】  図２は、実施の形態に係るハンドル１００の正面図である。図３は、ハンドル１００の背面下側から見た斜視図である。図４は、ハンドル１００の内部構造を示す図である。図５は、ハンドル１００の分解斜視図である。なお、ここでは便宜上、フリーザ１の側面が並ぶ方向（図１における矢印Ｙの方向）をハンドル１００の正面−背面方向としている。また、フリーザ１の側面に接する側をハンドル１００の背面としている。また、図５では、本体ベースの図示を省略している。
【００１４】  フリーザ１用のハンドル１００は、本体ベース１０２と、扉ベース１０４と、取手部１０６とを備える。本体ベース１０２はフリーザ本体２に固定される。扉ベース１０４は扉４に固定される。取手部１０６は扉ベース１０４に連結される。
【００１５】  本体ベース１０２は、フリーザ本体２と扉４とが連結されていない側のフリーザ本体２の側面２ｃに固定される。本体ベース１０２は、平板部１０８と、係合ピン１１０と、突起部１１２とを有する。平板部１０８は、一方の主表面がフリーザ本体２の側面２ｃに当接し、ねじ等の締結部材１１４によってフリーザ本体２に固定される。係合ピン１１０は、平板部１０８に固定されて水平方向（図１における矢印Ｙの方向、言い換えれば側面２ｃの略法線方向）に延伸する。突起部１１２は、平板部１０８と一体的に形成され、取手部１０６側、より具体的には取手部１０６の規制部材１４０側、あるいは扉ベース１０４側に突出する。本実施の形態では、突起部１１２は係合ピン１１０よりも取手部１０６側に、さらには平板部１０８よりも取手部１０６側に突出している。本体ベース１０２は、主に金属材料で形成される。
【００１６】  扉ベース１０４は、フリーザ本体２と扉４とが連結されていない側の扉４の側面４ｃに固定される。扉ベース１０４は、平板部１１６と、回動軸１１８とを有する。平板部１１６は、一方の主表面が扉４の側面４ｃに当接する。平板部１１６には、第１挿通孔１２０が設けられる。第１挿通孔１２０にねじ等の締結部材１２２が挿通されることで、扉ベース１０４は扉４に固定される。回動軸１１８は、平板部１１６に固定されて水平方向（図１における矢印Ｙの方向、言い換えれば側面４ｃの略法線方向）に延伸する。扉ベース１０４は、主に金属材料で形成される。
【００１７】  取手部１０６は、回動軸１１８に回動可能に連結される。取手部１０６は、本体ベース１０２及び扉ベース１０４を覆う中空構造のカバー部１２４と、カバー部１２４から鉛直方向（図１における矢印Ｚの方向）上方に延伸する把持部１２６とを有する。カバー部１２４は有底筒状であり、外周面に把持部１２６が設けられる。カバー部１２４は、筒の開放端がフリーザ１側を向くように配置される。カバー部１２４は、筒の底面に回動軸１１８の挿通孔１２８を有する。挿通孔１２８に回動軸１１８が挿通されることで、取手部１０６は扉ベース１０４に回動可能に連結される。取手部１０６は、主に樹脂材料で形成される。
【００１８】  取手部１０６は、回動軸１１８周りに回動して、扉４の開閉を規制するドアロック位置と扉４の開閉を許容するドアロック解除位置との間で変位可能である。図４には、ドアロック位置にある取手部１０６が図示されている。後述する図７（Ａ）には、ドアロック解除位置にある取手部１０６が図示されている。フリーザ１の使用者は、把持部１２６をフリーザ１の正面−背面方向（図１における矢印Ｘの方向）に押し引きすることで、取手部１０６をドアロック位置とドアロック解除位置との間で変位させることができる。
【００１９】  取手部１０６は、カバー部１２４内に係合溝１３０を有する。係合溝１３０は、取手部１０６がドアロック位置にある状態で鉛直方向に延在する。係合溝１３０は、開放端１３２を有する。開放端１３２は、カバー部１２４の外周面と係合溝１３０とが接する領域において、カバー部１２４の外周面が切り欠かれた部分に相当する。係合溝１３０には、開放端１３２を介して係合ピン１１０が進入又は退出することができる。係合溝１３０に進入した係合ピン１１０は、取手部１０６の回動により係合溝１３０の内部を移動する。
【００２０】  また、カバー部１２４には、挿通孔１２８の周縁部において扉ベース１０４側に突出する凸部１３４が設けられる。一方、扉ベース１０４には、回動軸１１８の周縁部においてカバー部１２４側に突出する回動ストッパ１３６が設けられる。凸部１３４と回動ストッパ１３６とは、取手部１０６の回動により相対的に変位し、取手部１０６がドアロック解除位置にあるとき両者が当接する。したがって、凸部１３４及び回動ストッパ１３６は、取手部１０６のドアロック解除位置を決める位置決め部材として機能する。
【００２１】  ここで、図６（Ａ）、図６（Ｂ）、図７（Ａ）及び図７（Ｂ）を参照しながら、ハンドル１００の動作について説明する。図６（Ａ）、図６（Ｂ）、図７（Ａ）及び図７（Ｂ）は、取手部１０６の各回動位置におけるハンドル１００の内部構造を示す図である。
【００２２】  取手部１０６は、図６（Ａ）に示すドアロック位置と図７（Ａ）及び図７（Ｂ）に示すドアロック解除位置との間で回動することができる。図６（Ａ）に示すように、取手部１０６がドアロック位置にあるとき、係合ピン１１０が係合溝１３０の内部に位置して両者が係合する。係合ピン１１０は、係合溝１３０の最奥部にまで進入している。係合ピン１１０と係合溝１３０とが係合しているため、扉４の開閉が規制される。開放端１３２は、取手部１０６がドアロック位置にある状態で鉛直方向下方を向く。
【００２３】  図６（Ｂ）に示すように、取手部１０６が回動軸１１８周りに回動すると、係合ピン１１０が開放端１３２に向かって係合溝１３０内を移動する。このとき、係合ピン１１０は、係合溝１３０の側面であって係合ピン１１０と回動軸１１８との間に位置する押出面１３８に当接しながら移動する。押出面１３８は、係合ピン１１０側に凸の曲面形状を有する。例えば、押出面１３８は、回動軸１１８を中心とした楕円の一部で構成される。このため、押出面１３８は、取手部１０６がドアロック位置からドアロック解除位置に変位する際に、フリーザ本体２と扉４とが離間する方向（図１における矢印Ｘの方向）に係合ピン１１０を押圧する。また、取手部１０６の回動にともなって、凸部１３４は回動ストッパ１３６に接近していく。
【００２４】  図７（Ａ）に示すように、取手部１０６は、凸部１３４が回動ストッパ１３６に当接するまで回動する。凸部１３４が回動ストッパ１３６に当接する位置が、取手部１０６のドアロック解除位置である。開放端１３２は、取手部１０６がドアロック解除位置にあるとき水平方向（図１における矢印Ｘの方向、より具体的にはフリーザ１の背面方向）を向く。回動ストッパ１３６は、取手部１０６がドアロック解除位置にあるとき、鉛直方向で係合ピン１１０が開放端１３２の延在範囲Ｈ内に位置するように取手部１０６を位置決めする。これにより、係合ピン１１０と係合溝１３０との係合が解除され、扉４の開閉が許容される。
【００２５】  係合ピン１１０は、取手部１０６の回動にともなって押出面１３８に押圧されながら係合溝１３０内を移動し、係合溝１３０の開放端１３２近傍に到達する。係合ピン１１０が押出面１３８によって押圧されることで、取手部１０６がドアロック位置にあるときの係合ピン１１０と回動軸１１８との水平方向距離Ｒ１（図６（Ａ）参照）よりも、取手部１０６がドアロック解除位置にあるときの係合ピン１１０と回動軸１１８との水平方向距離Ｒ２の方が大きくなる。本実施の形態では、押出面１３８により係合ピン１１０が押圧されて、本体ベース１０２及び扉ベース１０４が固定される側面２ｃ，４ｃの側においてフリーザ本体２と扉４とが非接触となる。
【００２６】  なお、本実施の形態において、扉４のフリーザ本体２側を向く主表面の周縁部にパッキン等の密閉部材が設けられる場合には、「扉」には密閉部材も含まれる。したがって、「フリーザ本体２と扉４とが非接触となる」状態とは、フリーザ本体２と扉４に設けられる密閉部材とが離間している状態を意味する。フリーザ本体２の開口２ａの外周面に密閉部材が設けられる場合についても同様である。
【００２７】  取手部１０６がドアロック解除位置にあるとき、鉛直方向において係合ピン１１０は開放端１３２の延在範囲Ｈ内に位置する。このため、図７（Ｂ）に示すように、扉４を軸Ａｘ１（図１参照）周りに回動させて扉４を開くことができる。扉４の開動作により、係合ピン１１０は係合溝１３０から退出する。扉４が閉まる際には、逆の動作が実行される。すなわち、取手部１０６がドアロック解除位置にある状態で、扉４の閉動作により係合ピン１１０が係合溝１３０に進入する。そして、取手部１０６が回動軸１１８周りに回動すると、係合ピン１１０が係合溝１３０内を移動して最奥部に到達する。その結果、取手部１０６はドアロック解除位置からドアロック位置に変位する。
【００２８】  したがって、ハンドル１００では、取手部１０６がドアロック解除位置からドアロック位置に変位すると係合溝１３０と係合ピン１１０とが係合して扉４の開閉が規制され、取手部１０６がドアロック位置からドアロック解除位置に変位すると係合溝１３０と係合ピン１１０との係合が解除されて扉４の開閉が許容される。
【００２９】  なお、取手部１０６は、図６（Ａ）に示すドアロック位置において回動軸１１８を中心として反時計周りに回動する方向に負荷が作用するように、重心が設定されている。つまり、取手部１０６に外的負荷が作用しない状態において、取手部１０６には、係合ピン１１０が係合溝１３０内を開放端１３２とは反対側に移動する方向の負荷が作用している。これにより、取手部１０６に外的負荷が作用していない状況における取手部１０６の意図しない回動を抑制して、係合ピン１１０が係合溝１３０の開放端１３２側に位置することを回避することができる。その結果、取手部１０６が意図せずにドアロック解除位置に変位し、これにより扉４が開くことを回避することができる。例えば、図１に示すフリーザ１において、フリーザ本体２の開口２ａは、扉４で塞がれる。また、貯蔵室２ｂの機密性を保つために、フリーザ本体２と扉４との間には弾性体であるパッキンが設けられる。扉４は、このパッキンを押圧した状態でフリーザ本体２の開口２ａを塞ぐ。したがって、扉４には、パッキンの反発力によってフリーザ本体２から離れる方向の力が作用している。このため、取手部１０６がドアロック位置にある状態では、係合溝１３０におけるフリーザ本体２側の側面と係合ピン１１０とは、パッキンの反発力に起因する所定の係合力をもって係合している。一方で、貯蔵室２ｂ内の冷却等によって貯蔵室２ｂ内の圧力が高くなると、扉４がフリーザ本体２側に押し付けられることがある。この場合、パッキンの反発力に起因する係合ピン１１０と係合溝１３０との係合力が弱まることがある。このような場合においても、上述のように取手部１０６の重心を設定することで、取手部１０６が意図せずにドアロック解除位置に変位して、扉４が開いてしまうことを回避することができる。
【００３０】［ハンドル戻りロック機構］  図５、図７（Ａ）及び図７（Ｂ）を参照しながらハンドル１００が備えるハンドル戻りロック機構について説明する。ハンドル戻りロック機構は、ドアロック解除位置にある取手部１０６がドアロック位置に変位することを規制するための機構である。
【００３１】  取手部１０６及び扉ベース１０４は、一方が規制部材１４０を有し、他方が規制部材受部１４２を有する。本実施の形態では、取手部１０６が規制部材受部１４２を有し、扉ベース１０４が規制部材１４０を有する。また、取手部１０６に設けられる凸部１３４が規制部材受部１４２として機能する。すなわち、凸部１３４は、取手部１０６のドアロック解除位置を決める位置決め機構と、ハンドル戻りロック機構とで兼用される。
【００３２】  規制部材１４０は、一方の部材（本実施の形態では扉ベース１０４）に対して変位可能に設けられる。具体的には、規制部材１４０は、扉ベース１０４の平板部１１６に固定される回動軸１４４に回動可能に連結される。規制部材１４０は取手部１０６がドアロック解除位置にある状態で、規制部材受部１４２に当接して取手部１０６がドアロック位置に変位することを規制する第１姿勢（図７（Ｂ）参照）と、規制部材受部１４２から離間してドアロック解除位置にある取手部１０６がドアロック位置に変位することを許容する第２姿勢（図７（Ａ）参照）との間で切り替え可能である。
【００３３】  また、図７（Ａ）及び図７（Ｂ）に示すように、規制部材１４０は、係合ピン１１０が係合溝１３０から退出した状態で第１姿勢であり、係合ピン１１０が係合溝１３０に進入すると第２姿勢に切り替わる。すなわち、扉４の開度に応じて規制部材１４０の第１姿勢と第２姿勢とが自動で切り替わる。そして、扉４が開いている状態では、ドアロック解除位置にある取手部１０６がドアロック位置に変位することが規制される。
【００３４】  この規制部材１４０の変位は以下のようにして実現される。すなわち図５に示すように、ハンドル１００は、第１姿勢をとるように規制部材１４０を付勢する付勢部材１４６を備える。本実施の形態では、付勢部材１４６はコイルばねで構成され、回動軸１４４が挿通されることで扉ベース１０４に固定される。付勢部材１４６を構成するコイルばねは、一端が扉ベース１０４に係合し、他端が規制部材１４０に係合する。また、図７（Ａ）に示すように、本体ベース１０２に設けられる突起部１１２は、鉛直方向で回動軸１４４とずれた位置であって且つ規制部材１４０と重なる位置に配置される。
【００３５】  本実施の形態では、規制部材１４０は略Ｖ字状の部材である。そして、Ｖ字の頂点近傍に回動軸１４４が配置される。また、Ｖ字の一方の端部が規制部材受部１４２に当接する。また、Ｖ字の他方の端部が突起部１１２により押圧される。規制部材１４０は、Ｖ字の頂点が支点、一方の端部が作用点、他方の端部が力点となる。
【００３６】  図７（Ｂ）に示すように、係合ピン１１０が係合溝１３０から退出した状態では、突起部１１２と規制部材１４０とが離間した状態にある。このため、規制部材１４０は、付勢部材１４６の付勢力によって第１姿勢をとる。第１姿勢では、規制部材１４０の一方の端部が、取手部１０６の回動にともなって変位する規制部材受部１４２の軌道上に進出して規制部材受部１４２に当接する。一方、図７（Ａ）に示すように扉４がフリーザ本体２に接近して係合ピン１１０が係合溝１３０に進入すると、扉４のフリーザ本体２への接近にともなって突起部１１２が付勢部材１４６の付勢方向とは逆の方向に規制部材１４０を押圧する。これにより、規制部材１４０は第２姿勢に切り替わる。規制部材１４０は、他方の端部が突起部１１２によって押圧されることでＶ字の頂点を支点として回動し、一方の端部が規制部材受部１４２の軌道上から退避する。
【００３７】  なお、取手部１０６が回動してドアロック位置に変位する過程では、扉４とフリーザ本体２とは徐々に接近していく。このため、図６（Ａ）及び図６（Ｂ）に示すように、規制部材１４０は突起部１１２によって押圧され続けて第２姿勢が維持される。
【００３８】［第１セキュリティ機構］  図２、図４〜図６（Ｂ）を参照しながら第１セキュリティ機構について説明する。第１セキュリティ機構は、ドアロック位置にある取手部１０６の回動を規制することで扉４の開放を防ぐ機構である。
【００３９】  ハンドル１００は、扉ベース１０４に対して取手部１０６を固定するロック機構１４８を有する。ロック機構１４８は、凸部１３４と、ロックピン１５０と、固定ベース１５２と、回動軸１５４と、ロックピン回動部１５６とを有する。凸部１３４は、取手部１０６とともに回動して取手部１０６がドアロック解除位置にあるとき回動ストッパ１３６に当接し（図７（Ａ）参照）、取手部１０６がドアロック位置にあるとき回動ストッパ１３６から離間する（図６（Ａ）参照）。
【００４０】  ロックピン１５０は一方向に長い部材であり、一端側に挿通孔１５８を有し、他端側にヘッド部１６０を有し、途中部分に係合スリット１６２を有する。ヘッド部１６０は、ロックピン１５０の延在方向に対して交わる方向に突出する。係合スリット１６２は、概ねロックピン１５０の延在方向に沿って延在する。挿通孔１５８に回動軸１５４が挿通されることで、ロックピン１５０は回動軸１５４に回動可能に連結される。回動軸１５４は、固定ベース１５２に固定される。固定ベース１５２は、ねじ等の締結部材１６４によって取手部１０６に固定される。
【００４１】  ロックピン回動部１５６は、略円柱状の部材であってカバー部１２４を貫通するように設けられる。ロックピン回動部１５６は、カバー部１２４の内側に配置される一端側に係合突起１６６を有し、カバー部１２４の外側に露出する他端側に鍵穴１６８を有する。ロックピン１５０の係合突起１６６は、ロックピン１５０の係合スリット１６２に挿入される。鍵穴１６８に鍵１７０をさして回すことで、ロックピン回動部１５６を回動させることができる。ロックピン回動部１５６の回動は、係合突起１６６及び係合スリット１６２を介してロックピン１５０に伝達され、ロックピン１５０が回動軸１５４周りに回動する。
【００４２】  図４に示すように、ロックピン１５０は、取手部１０６がドアロック位置にある状態で生じる凸部１３４と回動ストッパ１３６との間の空間にヘッド部１６０を進入させることができる。凸部１３４と回動ストッパ１３６との間にヘッド部１６０が進入することで、回動ストッパ１３６に近づく方向への凸部１３４の変位が規制される。このため、取手部１０６のドアロック位置からドアロック解除位置への変位が規制される。
【００４３】  使用者が鍵１７０を用いてロックピン回動部１５６を回動させると、図６（Ａ）に示すように、ロックピン１５０が回動軸１５４周りに回動する。そして、ヘッド部１６０が凸部１３４と回動ストッパ１３６との間の空間から退避する。これにより、図６（Ｂ）に示すように凸部１３４は回動ストッパ１３６に近づく方向に変位できるようになる。すなわち、取手部１０６をドアロック位置からドアロック解除位置へ変位させることが可能となる。
【００４４】［第２セキュリティ機構］  図３及び図５を参照しながら第２セキュリティ機構について説明する。第２セキュリティ機構は、南京錠等の錠前を用いてハンドル１００を施錠することで、扉４の開放を防ぐ機構である。
【００４５】  扉ベース１０４は、扉ベース１０４に対して取手部１０６を固定するための錠前（図示せず）が取り付けられる第１施錠孔１７２を有する。また、取手部１０６は、第１施錠孔１７２とともに錠前が取り付けられる第２施錠孔１７４を有する。
【００４６】  第１施錠孔１７２と第２施錠孔１７４とは、扉ベース１０４及び取手部１０６の並ぶ方向（図１における矢印Ｙの方向）で、取手部１０６がドアロック位置にあるときに重なり、取手部１０６がドアロック解除位置にあるときにずれるように、互いの位置関係が定められている。第１施錠孔１７２と第２施錠孔１７４とが重なった状態で、すなわち取手部１０６がドアロック位置にある状態で、錠前の掛け金が第１施錠孔１７２に続いて第２施錠孔１７４に挿通され、あるいは第２施錠孔１７４に続いて第１施錠孔１７２に挿通されて施錠される。これにより、取手部１０６のドアロック位置からドアロック解除位置への変位が規制される。
【００４７】［第３セキュリティ機構］  図８（Ａ）及び図８（Ｂ）を参照しながら第３セキュリティ機構について説明する。図８（Ａ）及び図８（Ｂ）は、第３セキュリティ機構を説明するための図である。第３セキュリティ機構は、扉ベース１０４及び取手部１０６の扉４からの取り外しを規制することで、扉４の開放を防ぐ機構である。
【００４８】  取手部１０６は、締結部材１２２が挿通される第２挿通孔１７６を有する。第２挿通孔１７６は、取手部１０６が連結された状態の扉ベース１０４を扉４に固定する際に、締結部材１２２が挿通される孔である。作業者は、第２挿通孔１７６を介してカバー部１２４内に締結部材１２２を挿入し、扉ベース１０４の第１挿通孔１２０（図３参照）に締結部材１２２を挿通することで、扉ベース１０４及び取手部１０６を扉４に固定することができる。
【００４９】  第１挿通孔１２０と第２挿通孔１７６とは、扉４、扉ベース１０４及び取手部１０６の並ぶ方向（図１における矢印Ｙの方向）で、取手部１０６がドアロック解除位置にあるときに重なり、取手部１０６がドアロック位置にあるときにずれるように、互いの位置関係が定められている。このため、図８（Ａ）に示すように、取手部１０６がドアロック位置にある状態では第２挿通孔１７６が締結部材１２２からずれる。このため、作業者は締結部材１２２にアクセスすることができない。一方、図８（Ｂ）に示すように、取手部１０６がドアロック解除位置にある状態では、作業者は第２挿通孔１７６を介して締結部材１２２を臨むことができる。このため、作業者は締結部材１２２を取り外すことができる。
【００５０】  なお、本実施の形態では、第１挿通孔１２０及び第２挿通孔１７６が４つずつ設けられ、そのうち３組については、取手部１０６がドアロック解除位置にあるときに重なり、取手部１０６がドアロック位置にあるときにずれるように、位置関係が定められている。一方、最下端に位置する残りの１組については、取手部１０６がドアロック位置にあるときに重なり、取手部１０６がドアロック解除位置にあるときにずれるように、位置関係が定められている。
【００５１】  これは、取手部１０６がドアロック解除位置にある状態で、最下端に位置する第１挿通孔１２０あるいは締結部材１２２と重なる位置に、配置スペースの都合上、第２挿通孔１７６を設けることができないためである。当該位置に第２挿通孔１７６を設けるためには、取手部１０６の大型化が必要である。言い換えれば、取手部１０６の周縁部近傍に位置する第１挿通孔１２０に対応する第２挿通孔１７６を、取手部１０６がドアロック位置にあるときに当該第１挿通孔１２０と重なるように配置することで、取手部１０６の小型化を図ることができる。
【００５２】  また、少なくとも１つの第２挿通孔１７６は、取手部１０６の回動にともなって変位する際の軌道上に、回動軸１４４が重なるように配置される。このため、第２挿通孔１７６を介して回動軸１４４にアクセスすることができる。これにより、回動軸１４４のメンテナンス時等に、取手部１０６の全部あるいは一部を取り外す作業を省略することができる。
【００５３】  以上説明したように、本実施の形態に係るハンドル１００は、ドアロック位置とドアロック解除位置との間で変位可能な取手部１０６を有する。取手部１０６に設けられる係合溝１３０は、取手部１０６がドアロック解除位置にあるとき水平方向を向く開放端１３２を有する。開放端１３２には、扉４の開閉により係合ピン１１０が退出又は進入する。ハンドル１００は、取手部１０６がドアロック解除位置からドアロック位置に変位すると係合溝１３０と係合ピン１１０とが係合して扉４の開閉を規制する。また、取手部１０６がドアロック位置からドアロック解除位置に変位すると係合溝１３０と係合ピン１１０との係合が解除されて扉４の開閉を許容する。
【００５４】  ハンドル１００は、取手部１０６のドアロック解除位置を決める回動ストッパ１３６を備える。回動ストッパ１３６は、取手部１０６がドアロック解除位置にあるとき、鉛直方向で係合ピン１１０が開放端１３２の延在範囲Ｈ内に位置するように取手部１０６を位置決めする。これにより使用者は、扉４の開閉時に係合ピン１１０と開放端１３２との細かい位置調整をすることなく扉４を開閉することができる。よって、フリーザ１の使い勝手を向上させることができる。特に扉４を閉める際に、係合ピン１１０を円滑且つ確実に開放端１３２から係合溝１３０内に進入させることができる。このため、係合ピン１１０と取手部１０６とが衝突して損傷することを回避することができる。
【００５５】  また、係合溝１３０は押出面１３８を有する。押出面１３８は、取手部１０６がドアロック位置からドアロック解除位置に変位する際に、取手部１０６がドアロック位置にあるときの係合ピン１１０と回動軸１１８との水平方向距離Ｒ１よりも、取手部１０６がドアロック解除位置にあるときの係合ピン１１０と回動軸１１８との水平方向距離Ｒ２の方が大きくなるように係合ピン１１０を押圧する。
【００５６】  フリーザ１の貯蔵室２ｂ内は、外部に対して密閉され低温に維持される。したがって、貯蔵室２ｂ内は負圧となりやすい。また、一般にフリーザ本体２と扉４との間にはマグネットパッキンが介在する。さらに、フリーザ本体２と扉４との接続部には霜や氷等が固着する場合もある。これらの要因により、扉４を開くことが困難になる場合がある。これに対しハンドル１００は、押出面１３８によってフリーザ本体２と扉４とが離間する方向に係合ピン１１０を押圧することで、扉４の開操作をアシストする。このため、扉４の開操作に必要な力を小さくすることができる。よって、フリーザ１の使い勝手を向上させることができる。
【００５７】  また、本実施の形態では、押出面１３８により係合ピン１１０が押圧されて、本体ベース１０２及び扉ベース１０４が固定される側面２ｃ，４ｃの側においてフリーザ本体２と扉４とが非接触となる。これにより、より確実に扉４の開操作に要する力を小さくすることができる。また、押出面１３８は、係合ピン１１０と回動軸１１８との間に位置し、係合ピン１１０側に凸の曲面形状を有する。これにより、押出面１３８が係合ピン１１０を押圧することで生じる負荷であって、取手部１０６の回動の妨げとなる負荷を、取手部１０６のドアロック位置からドアロック解除位置への変位の間、均等化することができる。
【００５８】  なお、押出面１３８は、係合ピン１１０側に凸の曲面形状を有するものに限定されない。押出面１３８は、係合ピン１１０を押圧してフリーザ本体２と扉４とを非接触にできる形状であればよい。例えば、押出面１３８は、取手部１０６がドアロック位置からドアロック解除位置への変位途中にある状態で、係合ピン１１０と押出面１３８との接点よりも係合ピン１１０側に迫り出すように傾斜する平面又は曲面を有する。押出面１３８の形状そのものは、一端側から他端側にかけて屈折せずに延びる平面形状であってもよいし（すなわち単一の平面で構成される）、一端側と他端側との間に屈折部を有してもよい（すなわち複数の平面で構成される）。押出面１３８が屈折部を有する場合、押出面１３８は、例えば取手部１０６がドアロック位置にある状態で係合ピン１１０側に凸の形状であってもよいし、凹の形状であってもよい。
【００５９】  また、ハンドル１００は、ハンドル戻りロック機構を備える。すなわち、取手部１０６及び扉ベース１０４の一方が規制部材１４０を有し、他方が規制部材受部１４２を有する。規制部材１４０は、第１姿勢と第２姿勢との間で切り替え可能である。第１姿勢は、取手部１０６がドアロック解除位置にある状態で規制部材受部１４２に当接して取手部１０６がドアロック位置に変位することを規制する姿勢である。第２姿勢は、規制部材受部１４２から離間してドアロック解除位置にある取手部１０６がドアロック位置に変位することを許容する姿勢である。
【００６０】  ハンドル１００がハンドル戻りロック機構を備えることで、例えば扉４が開いた状態で使用者の意図に反して取手部１０６がドアロック位置に戻ってしまうことを回避することができる。またこれにより、取手部１０６がドアロック位置に戻った状態で扉４が閉じて、取手部１０６と係合ピン１１０とが衝突することを回避することができる。
【００６１】  また規制部材１４０は、係合ピン１１０が係合溝１３０から退出した状態で第１姿勢であり、係合ピン１１０が係合溝１３０に進入すると第２姿勢に切り替わる。すなわち、扉４が開いた状態では取手部１０６がドアロック解除位置からドアロック位置に戻らないよう取手部１０６が固定され、扉４が閉まる際に扉４の変位に同期して取手部１０６の固定が解除される。したがって、扉４の開度に応じて自動でハンドル回動の規制とその解除とを切り替えることができる。よって、フリーザ１の使い勝手をより向上させることができる。
【００６２】  さらに、ハンドル１００は、第１姿勢をとるように規制部材１４０を付勢する付勢部材１４６を備える。また本体ベース１０２は、取手部１０６側に突出する突起部１１２を有する。突起部１１２は、扉４のフリーザ本体２への接近にともなって付勢部材１４６の付勢方向とは逆の方向に規制部材１４０を押圧する。これにより、規制部材１４０は第２姿勢に切り替わる。この構成によれば、簡単な構成で扉４の開度に応じたハンドル回動の規制とその解除との切り替えを実現することができる。
【００６３】  また、ハンドル１００は第１セキュリティ機構を備える。すなわち、扉ベース１０４に対して取手部１０６を固定するロック機構１４８を有する。ロック機構１４８は、凸部１３４とロックピン１５０とを有する。凸部１３４は、取手部１０６とともに回動して取手部１０６がドアロック解除位置にあるとき回動ストッパ１３６に当接し、取手部１０６がドアロック位置にあるとき回動ストッパ１３６から離間する。ロックピン１５０は、取手部１０６がドアロック位置にある状態で凸部１３４と回動ストッパ１３６との間に進入して取手部１０６の変位を規制する。これにより、フリーザ１のセキュリティを向上させることができる。
【００６４】  また、ハンドル１００は第２セキュリティ機構を備える。すなわち、扉ベース１０４は、錠前が取り付けられる第１施錠孔１７２を有する。取手部１０６は、第１施錠孔１７２とともに錠前が取り付けられる第２施錠孔１７４を有する。第１施錠孔１７２と第２施錠孔１７４とは、取手部１０６がドアロック位置にあるときに重なり、取手部１０６がドアロック解除位置にあるときにずれるように、互いの位置関係が定められている。これにより、フリーザ１のセキュリティを向上させることができる。
【００６５】  また、ハンドル１００は第３セキュリティ機構を備える。すなわち、扉ベース１０４は、扉４の側面４ｃに当接する平板部１１６と、扉ベース１０４を扉４に固定するための締結部材１２２が挿通される第１挿通孔１２０とを有する。取手部１０６は、締結部材１２２が挿通される第２挿通孔１７６を有する。第１挿通孔１２０と第２挿通孔１７６とは、取手部１０６がドアロック解除位置にあるときに重なり、取手部１０６がドアロック位置にあるときにずれるように、互いの位置関係が定められている。これにより、フリーザ１のセキュリティを向上させることができる。
【００６６】  本発明は、上述した実施の形態に限定されるものではなく、当業者の知識に基づいて各種の設計変更などのさらなる変形を加えることも可能であり、さらなる変形が加えられた実施の形態も本発明の範囲に含まれる。上述した実施の形態への変形の追加によって生じる新たな実施の形態は、組み合わされる実施の形態、及び変形それぞれの効果をあわせもつ。
【符号の説明】
【００６７】  １  フリーザ、  ２  フリーザ本体、  ２ａ  開口、  ４  扉、  １００  ハンドル、  １０２  本体ベース、  １０４  扉ベース、  １０６  取手部、  １１０  係合ピン、  １１２  突起部、  １１８  回動軸、  １２０  第１挿通孔、  １３０  係合溝、  １３２  開放端、  １３４  凸部、  １３６  回動ストッパ、  １３８  押出面、  １４０  規制部材、  １４２  規制部材受部、  １４６  付勢部材、  １４８  ロック機構、  １５０  ロックピン、  １７２  第１施錠孔、  １７４  第２施錠孔、  １７６  第２挿通孔。
【産業上の利用可能性】
【００６８】  本発明はハンドル及びフリーザに利用可能である。
【図１】
2017068984.tif 000003
【図２】
2017068984.tif 000004
【図３】
2017068984.tif 000005
【図４】
2017068984.tif 000006
【図５】
2017068984.tif 000007
【図６】
2017068984.tif 000008
【図７】
2017068984.tif 000009
【図８】
2017068984.tif 000010
【国際調査報告】
2017068984.tif 000011
2017068984.tif 000012
2017068984.tif 000013
2017068984.tif 000014